【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
プログラムパッケージに含まれる複数の機能を有効化するためのライセンス情報を、転送元のデバイスから、転送先のデバイスへ転送するためのライセンス管理装置であって、
前記プログラムパッケージに含まれる複数の機能の中の少なくとも複数の機能を、１つのグループとして管理する管理手段と、
前記プログラムパッケージに含まれる機能のうち、前記管理手段により同じグループとして管理されている機能のライセンス情報が、前記転送元のデバイスから取得された後に、その同じグループとして管理されている機能のライセンス情報を、前記転送先のデバイスに転送する転送手段とを有することを特徴とするライセンス管理装置。
【請求項２】
前記転送手段は、前記プログラムパッケージに含まれる機能のうち、前記管理手段により同じグループとして管理されている機能のライセンス情報が、前記転送元のデバイスから全て取得された後に、その同じグループとして管理されている機能のライセンス情報の全てを、前記転送先のデバイスに転送することを特徴とする請求項１に記載のライセンス管理装置。
【請求項３】
前記転送手段は、前記プログラムパッケージに含まれる機能のうち、前記管理手段により同じグループとして管理されている機能であって、前記転送元のデバイスで実現できる機能のライセンス情報が、前記転送元のデバイスから全て取得された後に、その同じグループとして管理されている機能のうち、前記転送先のデバイスで実現できる機能のライセンス情報の全てを、前記転送先のデバイスに転送することを特徴とする請求項１に記載のライセンス管理装置。
【請求項４】
前記転送元のデバイスに導入されている機能のライセンス情報を取得する取得手段と、
前記取得手段により取得されたライセンス情報に対応する機能が属するグループを、前記管理手段により管理されているグループに基づいて特定する特定手段とを有し、
前記転送手段は、前記プログラムパッケージに含まれる機能であって、前記特定手段により特定されたグループと同じグループに属する機能のライセンス情報が、前記転送元のデバイスから取得された後に、その同じグループに属する機能のライセンス情報を、前記転送先のデバイスに転送することを特徴とする請求項１〜３の何れか１項に記載のライセンス管理装置。
【請求項５】
前記転送元のデバイス及び前記転送先のデバイスが実現できる機能を管理する第２の管理手段と、
前記特定手段により特定されたグループに属する機能のうち、前記転送元のデバイスのデバイスが実現できる機能を判別する第１の判別手段と、
前記特定手段により特定されたグループに属する機能のうち、前記転送先のデバイスのデバイスが実現できる機能を判別する第２の判別手段とを有し、
前記転送手段は、前記第１の判別手段により、前記転送元のデバイスで実現できると判別された機能のライセンス情報が、前記転送元のデバイスから全て取得された後に、前記第２の判別手段により、前記転送先のデバイスで実現できると判別された機能のライセンス情報の全てを、前記転送先のデバイスに転送することを特徴とする請求項４に記載のライセンス管理装置。
【請求項６】
請求項１〜５の何れか１項に記載のライセンス管理装置と、転送元のデバイスと、転送先のデバイスとを有し、
前記転送元のデバイスは、導入されている機能のライセンス情報を送信する送信手段と、
前記送信手段により送信されたライセンス情報に対応する機能を実行できないようにする実行不能化手段とを有し、
前記転送先のデバイスは、ライセンス情報を受信する受信手段と、
前記受信手段により受信されたライセンス情報に対応する機能を実行できるようにする実行可能化手段とを有することを特徴とするライセンス管理システム。
【請求項７】
プログラムパッケージに含まれる複数の機能を有効化するためのライセンス情報を、転送元のデバイスから、転送先のデバイスへ転送するライセンス管理方法であって、
前記プログラムパッケージに含まれる複数の機能の中の少なくとも複数の機能を、１つのグループとして管理する管理ステップと、
前記プログラムパッケージに含まれる機能のうち、前記管理ステップにより同じグループとして管理されている機能のライセンス情報が、前記転送元のデバイスから取得された後に、その同じグループとして管理されている機能のライセンス情報を、前記転送先のデバイスに転送する転送ステップとを有することを特徴とするライセンス管理方法。
【請求項８】
前記転送ステップは、前記プログラムパッケージに含まれる機能のうち、前記管理ステップにより同じグループとして管理されている機能のライセンス情報が、前記転送元のデバイスから全て取得された後に、その同じグループとして管理されている機能のライセンス情報の全てを、前記転送先のデバイスに転送することを特徴とする請求項７に記載のライセンス管理方法。
【請求項９】
前記転送ステップは、前記プログラムパッケージに含まれる機能のうち、前記管理ステップにより同じグループとして管理されている機能であって、前記転送元のデバイスで実現できる機能のライセンス情報が、前記転送元のデバイスから全て取得された後に、その同じグループとして管理されている機能のうち、前記転送先のデバイスで実現できる機能のライセンス情報の全てを、前記転送先のデバイスに転送することを特徴とする請求項７に記載のライセンス管理方法。
【請求項１０】
前記転送元のデバイスに導入されている機能のライセンス情報を取得する取得ステップと、
前記取得ステップにより取得されたライセンス情報に対応する機能が属するグループを、前記管理ステップにより管理されているグループに基づいて特定する特定ステップとを有し、
前記転送ステップは、前記プログラムパッケージに含まれる機能であって、前記特定ステップにより特定されたグループと同じグループに属する機能のライセンス情報が、前記転送元のデバイスから取得された後に、その同じグループに属する機能のライセンス情報を、前記転送先のデバイスに転送することを特徴とする請求項７〜９の何れか１項に記載のライセンス管理方法。
【請求項１１】
前記転送元のデバイス及び前記転送先のデバイスが実現できる機能を管理する第２の管理ステップと、
前記特定ステップにより特定されたグループに属する機能のうち、前記転送元のデバイスのデバイスが実現できる機能を判別する第１の判別ステップと、
前記特定ステップにより特定されたグループに属する機能のうち、前記転送先のデバイスのデバイスが実現できる機能を判別する第２の判別ステップとを有し、
前記転送ステップは、前記第１の判別ステップにより、前記転送元のデバイスで実現できると判別された機能のライセンス情報が、前記転送元のデバイスから全て取得された後に、前記第２の判別ステップにより、前記転送先のデバイスで実現できると判別された機能のライセンス情報の全てを、前記転送先のデバイスに転送することを特徴とする請求項１０に記載のライセンス管理方法。
【請求項１２】
請求項７〜１１の何れか１項に記載のライセンス管理方法の各ステップをコンピュータに実行させることを特徴とするコンピュータプログラム。
【手続補正２】
【補正対象書類名】明細書
【補正対象項目名】０００６
【補正方法】変更
【補正の内容】
【０００６】
本発明のライセンス管理装置は、プログラムパッケージに含まれる複数の機能を有効化するためのライセンス情報を、転送元のデバイスから、転送先のデバイスへ転送するためのライセンス管理装置であって、前記プログラムパッケージに含まれる複数の機能の中の少なくとも複数の機能を、１つのグループとして管理する管理手段と、前記プログラムパッケージに含まれる機能のうち、前記管理手段により同じグループとして管理されている機能のライセンス情報が、前記転送元のデバイスから取得された後に、その同じグループとして管理されている機能のライセンス情報を、前記転送先のデバイスに転送する転送手段とを有することを特徴とする。
本発明のライセンス管理システムは、前記ライセンス管理装置と、転送元のデバイスと、転送先のデバイスとを有し、前記転送元のデバイスは、導入されている機能のライセンス情報を送信する送信手段と、前記送信手段により送信されたライセンス情報に対応する機能を実行できないようにする実行不能化手段とを有し、前記転送先のデバイスは、ライセンス情報を受信する受信手段と、前記受信手段により受信されたライセンス情報に対応する機能を実行できるようにする実行可能化手段とを有することを特徴とする。
【手続補正３】
【補正対象書類名】明細書
【補正対象項目名】０００７
【補正方法】変更
【補正の内容】
【０００７】
本発明のライセンス管理方法は、プログラムパッケージに含まれる複数の機能を有効化するためのライセンス情報を、転送元のデバイスから、転送先のデバイスへ転送するライセンス管理方法であって、前記プログラムパッケージに含まれる複数の機能の中の少なくとも複数の機能を、１つのグループとして管理する管理ステップと、前記プログラムパッケージに含まれる機能のうち、前記管理ステップにより同じグループとして管理されている機能のライセンス情報が、前記転送元のデバイスから取得された後に、その同じグループとして管理されている機能のライセンス情報を、前記転送先のデバイスに転送する転送ステップとを有することを特徴とする。
【手続補正４】
【補正対象書類名】明細書
【補正対象項目名】０００８
【補正方法】変更
【補正の内容】
【０００８】
本発明のコンピュータプログラムは、前記ライセンス管理方法の各ステップをコンピュータに実行させることを特徴とする。
【手続補正５】
【補正対象書類名】明細書
【補正対象項目名】０００９
【補正方法】変更
【補正の内容】
【０００９】
本発明によれば、プログラムパッケージに含まれる複数の機能の中の少なくとも複数の機能を、１つのグループとして管理する。そして、同じグループに属する複数の機能のライセンス情報が転送元のデバイスから取得されて後に、その同じグループに属する複数の機能のライセンス情報を転送先のデバイスに転送する。したがって、プログラムパッケージに含まれる機能の個別転送を防止することが可能になる。